(57)【要約】本発明は生理信号を観測し、緊急処置を実施する方法及びその装置に関わるものである。本発明による装置は、内部に数個のセンサー、数個の救援医療設備及び入力／出力端子が装着される救命胴衣である。
2005533541.tif 000002
【特許請求の範囲】
【請求項１】
人体からの生理状況を信号資料として、身につけている衣服に貼り付けられた測定装置または体内の生物チップにより検査を行い、そののち、検査した資料を観測センターを通して通信端子から近所または遠隔地の医療単位に送り、そして使用者の健康状態を観測、維持するための日常観測を持続させることで、使用者と観測システムを互いに繋げたり、遠隔地の制御センターと直接に繋げたりして、双方向的に連絡したり、即時簡易な緊急手当てを行うことを可能にすると同時に、必要に応じ検査するか現場人員に緊急処理を指示するための根拠として遠隔地の医療人員に相関資料を提供することを可能にすることを特徴とする生理機能の状態を観測し処理する方法。
【請求項２】
資料の保存と管理を計測し、資料を調査することで異状情況を見付け出し、それらを診断の補助とし、使用者の生活品質の評価を維持し、かつ身体の機能が退化していることが判明した時やその兆しが現れた時、表示装置により使用者に処置方法を教えるか、介護人員に調整性的な処置を通知することを可能にし、また現れた症状に対し処置ができない場合、ピンホールカメラにより画像を伝送するか通信端子により信号を遠隔地の観測制御者に送ることで、観測制御者が資料により判断を下し、即時診察という効果を果たすことを可能にすることを特徴とする請求項１に記載の方法。
【請求項３】
人体に適合する衣服の形に構成され、かつ任意の一つまたは複数の部位が多層構造となることで、感知設備を装着可能である織物体と、
織物体の適当な位置に装着されることで生理状態の資料を取得し、かつ観測センターに電気的に接続される複数のセンサーと、
織物体の適当な位置に装着され、必要に応じ使用者に治療動作を実施し、かつ観測センターに電気的に接続される医療設備と、
外部の受信側に資料の伝送をすぐするか遅らせる、または使用者の問合わせに対し回答して外部装置との連接により使用者に医療措置を実施することを可能にし、かつ観測センターに電気的に接続される通信端子と、
前記センサー、医療設備、通信端子と電気的に接続されることで、信号を送受信する観測センターと、
を備え、資料を処理、伝送する場合、通信端子を介して外部に信号を送って、また複数のＩ／ＯPortにより外部の情報装置と接続することが可能であって、
長期間で観測した使用者の大量の資料を保存、管理し、そして資料の調査を行うことで、異状情況を見付け出し、それらを診断の補助とし、使用者の生活品質の評価を維持することが可能であることを特徴とする生理機能の状態を観測する装置。
【請求項４】
センサーは、圧力センサー、温度センサー、端末センサー、音声センサー、生化センサー及びほかの生物チップを有し、かつ観測センターに電気的に接続されることを特徴とする請求項３に記載の装置。
【請求項５】
センサーは、人体からの生理信号に対し検索し、生理信号を接続口に出力することが可能であることを特徴とする請求項３または請求項４に記載の装置。
【請求項６】
医療設備は、酸素装置、ポンプ、エアバック、体温調節装置、痛み発生装置、薬物注射装置および感電シート装置を有し、かつ観測センターに電気的に接続されることを特徴とする請求項３に記載の装置。
【請求項７】
エアバックとポンプ、酸素装置またはセンサーを結合して使用することで、使用者に姿勢のリハビリ、骨折固定、圧迫止血などの機能を提供するか、心肺蘇生術及びハイムリック法に相当する機能を実施することが可能であることを特徴とする請求項６に記載の装置。
【請求項８】
エアバックを脊髄の位置に当てて、エアバック／織物体の外側または内側にスタンドを装着することで、位置を正確に矯正、固定することが可能であることを特徴とする請求項７に記載の装置。
【請求項９】
通信端子により、資料を通信器材を通して遠隔地の観測制御センターに送ったり、遠隔地の観測制御センターに接続して遠隔地の診察を進行させたりすることか、コンピューターまたはほかの対応できる設備に資料を直接出力することが可能であることを特徴とする請求項３に記載の装置。
【請求項１０】
観測センターは、
内部センサーと電気的に接続され、検査する資料を処理演算に送ることが可能であるセンサー接続手段と、
資料を通信機材を通して遠隔地の観測制御センターに送ったり、遠隔地の観測制御センターに接続して遠隔地の診察を進行させたりすることか、コンピューターまたはほかの対応できる設備に資料を直接出力することが可能である通信端子接続手段と、
使用者からの検査信号を入力し、資料を入力すると同時に表示された資料を保存することが可能で、かつ資料保存装置に電気的に接続される保存装置と、
信号出力の接続口として織物体の外部の適当な位置に配置される表示装置と、
装置における電力を必要とする設備、特に感電装置の部分に電力を供給することが可能である電力システムと、
を備えることを特徴とする請求項３に記載の装置。
【請求項１１】
資料検索方法と接続することで、観測センターが資料検索方法により外部から異なる個人資料を取得して装置を使用者に必要な機能に設定することが可能である請求項３または請求項１０に記載の装置。
【発明の詳細な説明】
【技術分野】
【０００１】
本発明は、生理機能の観測・処置の装置に関わるものである。本装置は特に人体の着用に適合する衣服の形態として、かつ衣服の特定の位置に機能が異なるセンサー、簡易治療器を装着することで生理状態の即時感知及び医療介護を提供し、かつ状況に応じ適切な信号を出力することを可能にするものである。
【背景技術】
【０００２】
基本の生理、生命的な健康は観測の指標であるとされているが、機能性健康はまたもう一つの重要な健康の指標だと考えられている。
一般的な病気の過程ではいわゆる「潜伏期」があるのは当然である。台湾大学医学部副学部長の王正一氏の指摘によると、人体は健康の状態から病気に至るまで過渡期があり、無症状期に病気が発見される、即ち『比較的早期』に発見される場合、治療を比較的容易にすることが可能であり、効果も比較的にあるからといっても、少数の病気は無症状期にすでに治療しにくくなっており、症状の深刻化に伴い全身に蔓延し手遅れになることや、死に至らしめることがあることが判明した。
【０００３】
上述の概念により、人間の老化現象を連想させてみると、高齢者達は身体が丈夫で、活力があって独立生活ができる段階から衰弱、病気になり医療介護が必要になる段階まで"退化"過程を経過し、その期間に活動力の低下、臥床時間の増加、生活習慣の変化、及び炊事や入浴などの自力活動の減少が外から観察できる兆しである。一般的な老人介護という概念は、病気、機能の喪失、緊急事故などの"機能喪失状態"の発生に対応する処理にとどまっているとされる。したがって、健康な高齢者に対し居住環境及び日常活動を長期間にわたって意識させることなく観察し、データの伝送と保存と処理、調査測量、生活品質の評価などの情報システムを構築すれば、普段の居住環境または機能性的な健康の状況を悪化させる兆しがあるかどうかをすぐ判断でき、また痛みが生じたり、機能を喪失したりする前に関係者に情況を通知すれば、すぐ適切な処理ができる。すると、高齢者の医療介護にかかわるコストが低減できるだけではなく、高齢者の健康的な生活の質が維持できる。
【０００４】
また、日常生活の活動状況はたくさんの検査ポイントが複合しているため、統計して結果を求め、かつその統計結果を情報収集、共同調査の根拠にすることで非自覚的な生理資料を得ることが可能であるが、判断する場合、特に個別の情況に対し正確な判断と処理を下すことができず、従来の資料を分析することにより使用者の今後の注意すべきところを判断するより仕方がない。
【０００５】
中華民国特許公告第383590号により掲示された生理現象を感知する無線センサー装置と、公告第415836号により掲示された無線の医療的観測・制御方法及び観測・制御システム、中華民国特許公報第383590号により掲示された多電極の検知による医療診断システムの前進離脱装置及びその方法などは、動作、体温、脈拍などの生理現象を検知、観測・制御する装置に適用されているが、使用者が外界の要素または体の具合で体温が高すぎたか、体温が上がったり下がったりする場合、調節センサーにより医療人員に救援を通知するだけであるため、装置を通して使用者の温度を調整し適当な温度まで保持する観測及び処置の双機能を持つのではなく、ただ情報伝送処置などの単機能を持つだけである。
【０００６】
本発明者は、使用者の身体状況を実際調査、収集し、日常生活の非自覚的な生理資料に合わせる方法の欠点に鑑みながら、長時間に渡って研究した結果、本発明の生理機能の状態を観測する装置及びその観測・処置方法を完成させた。
【発明の開示】
【０００７】
本発明の観測・処置装置の主な目的は、成熟してきた"マイクロ科学技術"をセンサーに応用することで、衣服の中に簡易に装着し、human Enginerringと結合することが可能であると同時に患者に負担がないように感じさせる生活を実現させることにある。
本発明の観測装置のもう一つの目的は、長期間観測した使用者の大量の資料を適当に保存、管理し、そして資料の調査を行うことで、異状情況を見付け出し、それらを診断の補助として、使用者の生活品質の評価を維持し、かつ身体機能が退化していることが判明した時やその兆しが現れた時、介護人員に調整性的な処置をすぐ通知することが可能にすることにある。
【０００８】
本発明の観測装置の又もう一つの目的は、通常収集される資料を結合し、使用者と互いに連絡を取り合うように保ち、かつ緊急状態や危険処置が発生した場合、使用者の身体状態を把握することを可能にすることにある。
上述の目的を達成するために、本発明は生理機能を観測し処置する方法と生理機能を観測する装置を提供するものである。
【０００９】
生理機能の状態を観測・処置する方法は、人体からの生理状況を信号資料として、身につけている衣服に貼り付けられた測定装置または体内の生物チップにより検査を行い、そののち、検査した資料を観測センターを通して通信端子から近所または遠隔地の医療単位に送り、そして使用者の健康状態を観測、維持するための日常観測を持続させることで、使用者と観測システムを互いに繋げたり、遠隔地の制御センターと直接に繋げたりして、双方向的に連絡したり、即時簡易な緊急手当てを行うことを可能にすると同時に、必要に応じ検査するか現場人員に緊急処理を指示するための根拠として遠隔地の医療人員に相関資料を提供することを可能にするものである。
【００１０】
さらに上述の方法は、資料の保存と管理を計測し、資料を調査することで異状情況を見付け出し、それらを診断の補助とし、使用者の生活品質の評価を維持し、かつ身体の機能が退化していることが判明した時やその兆しが現れた時、表示装置により使用者に処置方法を教えるか、介護人員に調整性的な処置を通知することを可能にし、また現れた症状に対し処置ができない場合、ピンホールカメラにより画像を伝送するか通信端子により信号を遠隔地の観測制御者に送ることで、観測制御者が資料により判断を下し、即時診察という効果を果たすことを可能にするものである。
【００１１】
生理機能の状態を観測する装置は、織物体、複数のセンサー、医療設備、通信端子及び観測センターを備える。
織物体は、人体に適合する衣服の形に構成され、かつ任意の一つまたは複数の部位が多層構造となることで、感知設備を装着可能である。
センサーは、織物体の適当な位置に装着されることで生理状態の資料を取得し、かつ観測センターに電気的に接続される。
医療設備は、織物体の適当な位置に装着され、必要に応じ使用者に治療動作を実施し、かつ観測センターに電気的に接続される。
【００１２】
通信端子は、外部の受信側に資料の伝送をすぐするか遅らせる、または使用者の問合わせに対し回答して外部装置との連接により使用者に医療措置を実施することを可能にし、かつ観測センターに電気的に接続される。
観測センターは、前記センサー、医療設備、通信端子と電気的に接続されることで信号を送受信するものである。
資料を処理、伝送する場合、通信端子を介して外部に信号を送って、また複数のＩ／ＯPortにより外部の情報装置と接続することが可能である。
また長期間で観測した使用者の大量の資料を保存、管理し、そして資料の調査を行うことで、異状情況を見付け出し、それらを診断の補助とし、使用者の生活品質の評価を維持することが可能である。
【００１３】
センサーは、圧力センサー、温度センサー、端末センサー、音声センサー、生化センサー及びほかの生物チップを有し、かつ観測センターに電気的に接続される。
センサーの特徴は、人体からの生理信号に対し検索し、生理信号を接続口に出力することを可能にすることである。
医療設備は、酸素装置、ポンプ、エアバック、体温調節装置、痛み発生装置、薬物注射装置および感電シート装置を有し、かつ観測センターに電気的に接続される。
また、エアバックとポンプ、酸素装置またはセンサーを結合して使用することで、使用者に姿勢のリハビリ、骨折固定、圧迫止血などの機能を提供するか、心肺蘇生術及びハイムリック法に相当する機能を実施することが可能である。
【００１４】
また、エアバックを脊髄の位置に当てて、エアバック／織物体の外側または内側にスタンドを装着することで、位置を正確に矯正、固定することが可能である。
また、通信端子により、資料を通信器材を通して遠隔地の観測制御センターに送ったり、遠隔地の観測制御センターに接続して遠隔地の診察を進行させたりすることか、コンピューターまたはほかの対応できる設備に資料を直接出力することが可能である。
観測センターは、センター接続手段、通信端子接続手段、保存装置、表示装置及び電力システムを備える。
【００１５】
センサー接続手段は、内部センサーと電気的に接続され、検査する資料を処理演算に送ることが可能である。
通信端子接続手段は、資料を通信機材を通して遠隔地の観測制御センターに送ったり、遠隔地の観測制御センターに接続して遠隔地の診察を進行させたりすることか、コンピューターまたはほかの対応できる設備に資料を直接出力することが可能である。
【００１６】
保存装置は、使用者からの検査信号を入力し、資料を入力すると同時に表示された資料を保存することが可能で、かつ資料保存装置に電気的に接続される。
表示装置は、信号出力の接続口として織物体の外部の適当な位置に配置される。
電力システムは、装置における電力を必要とする設備、特に感電装置の部分に電力を供給することが可能である。
さらに資料検索方法と接続することで、観測センターが資料検索方法により外部から異なる個人資料を取得して装置を使用者に必要な機能に設定することが可能である。
【発明を実施するための最良の形態】
【００１７】
図１Ａに示すのは本発明による生理機能の状態を観測する装置の状態であり、多様な状態を呈する織物体の内部構造及び観測動作を説明するものである。
図に示すように、衣服に近似する装置は、織物体１１を有し、織物体１１の適当な位置にセンサーと医療設備を複数有する。このような即時感応の装置は健康の観測の面では非常に役に立ち、医院で短時間行われる問診と検査とは異なるが、長時間にわたって持続的に観測すれば、使用者や患者にプラスの助けを与えることが可能である。また資料を処理、伝送する場合、通信端子２３２を介して外部に信号を送って、複数のＩ／ＯPortにより外部の情報装置と接続することが可能である。
【００１８】
以下、本装置の連結方法及び使用状態について説明する。
本発明による装置は複数の区域に分けられている。それぞれの区域はそれぞれの設備を備え、前述の説明の通り、それらの設備は織物体１１の内側または外側に装着される。
区域Ａは観測センター２である。観測センター２は通信端子２３２、集積回路ＩＣを有し、また呼吸機能がそろっていないせいで発生する突発情況を防止したり、ほかの設備に気体を緊急供給したりするために小型の酸素装置またはポンプ３が設けられる。通信端子２３２は、携帯電話（Cellpfone）、衛星定位装置（ＧＰＳ）、無線ラジオ（Radio）、パーソナルデジタルアシスタント（ＰＤＡ）などの通信設備と接続される電子端を複数有する。使用者を緊急救急しなければならない場合、上述の設備により遠隔地の観測制御者と連絡したり、第三者に急難救助を求めたりして、衛星定位装置により患者の所在地を把握することが可能である。
【００１９】
区域Ｂは腕の上に環状の圧力による気体充填バルブ４を有し、バルブの適当な位置において、観測センター２と電気的に接続され、かつポンプ３と機械的に連結される圧力センサー（図中未表示）を有することで、血圧値を計測することが可能である。またほかの位置に感熱ユニットを装着することで使用者の体温を観測し、またほかのセンサーまたは端末を装着することで、脈拍、血液と酸素の濃度、血糖などの基本の整理情況を観測することも可能である。
【００２０】
使用者が外界の要素または体の具合で体温が高すぎた場合、織物体の内部の気体保存瓶（図中未表示）により気体を放出することで体温を適当な温度まで調節することが可能である。逆に使用者の体温が下がっていく場合、外部電力により保温装置を起動することで使用者の温度を維持することが可能である。
区域Ｃは、音声センサー（図中未表示）、即ち一般の圧電気式または電気容量式のマイクを感知装置とすることで、心肺機能などに対し、異状情況があるかを検査することが可能である。区域Ｃ２は音声センサー（図中未表示）により、妊婦と胎児の心音を検査し、かつ観測センター２と電気的に接続される。
【００２１】
区域Ｄは感電救急が必要な患者のために充電／放電回路により感電シート装置２３４（図中未表示）が設けられる。図２に示すように、観測センター２における電力システム２１は変換回路によりエネルギーを変換し、充電器のコンデンサー５１に保存し、充電が完了した場合、指示信号によりパルス放電方法で使用者に放電する。また感電の時間と電量の大きさは観測センターの予め設定されたソフトウエア２２により制御される。またこの区域では、心肺部位を観測するセンサー６を有し、センサー６は観測センターにより検査結果を出力し、検査結果は通常心電図となる。また内部に複数のエアバックを部分的に装着することが可能である。エアバックＧ１は小型の酸素装置またはポンプ３により気体が供給され、そして観測センターのソフトウエア２２により制御されることで気体吸収・放出の作用を有し、かつ心肺蘇生術を実施する時、心臓部位にマッサージを提供することが目的である。エアバックＧ２の主な目的は、気道内に異物がある場合、ハイムリック法に相当する瞬間気体充填を実施し、異物を排除することである。またエアバックＧ３の主な目的は、使用者が意識を失った場合、瞬間気体充填をすることで、使用者に痛みを与え、意識及び感覚を確認することである。
【００２２】
区域Ｅは使用者の後方に延伸するように装着される広範囲のエアバック７である。エアバック７は、使用者に姿勢矯正などのリハビリ機能を提供するために、左右に二つのエアバックが装着され、互いに気体充填をさせることで、交代で使用者の背部を動かす動作を達成することが可能である。エアバック７の区域は範囲が制限されたいため、医師の診断により個人の情況に合わせてカスタマイズが可能である。例えば区域Ｆは、図１Ｂに示すように、脊髄の位置にエアバック７１（図３に示す）を有し、エアバック７１が垂直の形態を呈し、エアバック７１織物体の外側または内側にスタンド７１１を装着することで、位置を正確に矯正、固定することが可能である。続いて酸素装置またはポンプ３の気体充填効果によりエアバック７１に気体を充填すると同時に、エアバック７１内側を人体に接触させ、センサー７１２により、背部、腰部、尻部などの部位を矯正することが可能である。また観測センター２はセンサー７２により即時観測をしたり、指示を決めたりすることが可能である。
【００２３】
区域Ｈは注射装置２３５である。注射装置２３５における注射薬物は医師の判断を基づいて投入される。注射装置は小型の酸素装置またはポンプ３により駆動され、使用者に救急が必要である場合、遠隔地の観測制御者により操作・制御される。
前述の説明により、それぞれの区域に装着する装置の数と位置を使用者により調整することで、最大効果を達成することが可能である。具体的な実施例を一つ挙げて説明してみると、このような衣服を着れば、心拍、脈拍、呼吸、体温、血糖及び血圧などの生理状況の即時観測を実施し、また観測センターによりしばらく経っても回復されていないことが判明した場合、外に信号を発信して使用者または家族に通知することが可能である。したがって使用者は表示装置２４により処置の方法を問い合わせることができる。また使用者または家族は処置ができない場合、ピンホールカメラにより画像を伝送するか通信端子２３２により携帯電話（Cellpfone）、パーソナルデジタルアシスタント（ＰＤＡ）または信号発信機を介して信号を遠隔地の観測制御者に送ることで、観測制御者は資料により処理方法を判断することが可能である。したがって即時診察という効果が果たせるだけではなく、診療所以外で発生した生理状況を専門家に提供し、生理資料を中断させないように保持したうえで、使用者の生活品質の評価を維持し、かつ身体の機能が退化していることが判明した時やその兆しが現れた時、使用者または介護人員に調整性的な処置または救急措置をすぐ通知することが可能である。またほかの部位の観測は特殊な患者に対し考慮され、かつ医療効果を十分に発揮するために事前訓練が必要である。
【００２４】
図４に示すのは本発明の観測センターの組成を示す模式図である。Ｉ／Ｏ端子２３は、センサー端子２３１と通信ポート端子２３２と予備端子２３３を有する。センサー端子２３１は内部センサーと電気的に接続され、検査する資料を処理演算に送ることが可能である。通信ポート端子２３２は資料をピンホールカメラなどの通信機材を通して遠隔地の観測制御センターに送ったり、遠隔地の観測制御センターに接続して遠隔地の診察を進行させたりすることか、コンピューターまたはほかの対応できる設備に資料を直接出力することが可能である。また保存装置２７は、使用者からの検査信号を入力し、資料を入力すると同時に検査された資料を保存することが可能で、かつ資料保存装置に電気的に接続される。表示装置２４は、信号出力の接続口として織物体の外部の適当な位置に配置される。電力システム２１は、装置における電力を必要とする設備、特に感電装置２３４の部分に電力を供給し、かつ外部電力２１１を外接することで電力を提供することが可能である。また観測センターは音声警告装置２６を有し、定時服薬が必要である場合、生理の突発状況を感知した場合、使用者に警告するか、或いは表示装置２４により使用者に注意事項を知らせる。
【００２５】
さらに詳しく説明すべき所は、資料検索方法２５（Means for data searching）との接続により、観測センターが資料検索方法により外部から異なる個人資料を取得して本装置を使用者に必要な機能に設定可能であるということである。詳しく説明してみると、使用者に心臓部分または呼吸器官を観測する必要がある場合、予め設定された資料チップを提供すれば、本装置が必要な観測部分を自動的に起動し、必要のない部分をオフにし、システムの電力消耗を節約することが可能である。また使用者が外部の制御により設定を変更することで観測項目を増やすことも可能である。
【００２６】
本装置は、すべての人に医療人員を提供することが可能である。したがって緊急状況が発生した場合、または医療資源に乏しい地方の場合、病人に適当な処置ができないが、本装置により日常観測を行うことで、使用者と観測システムを互いに繋げたり、遠隔地の制御センターと直接に繋げたりして、双方向的に連絡したり、緊急手当てを行うことを可能にすると同時に、必要に応じ検査するか現場人員に緊急処理を指示するための根拠として遠隔地の医療人員に相関資料を提供することを可能にする。
【００２７】
図５Ａは、本発明が生理状態を観測するプロセスである。スタート８１は、使用者の確認８２を実行し、新しい使用者が判明した場合、基本資料の登録８２１を実行し、確認が完了した場合、システムはすべての装置に自己試験８３１から８３３、例えば検査器の確認８３１、検査器の動作の確認８３２、ソフトウエアの動作の確認８３３を実行し、確認が完了した場合、待機の状態に入ります。また上述の任意の自己試験に誤動作があった場合、信号回答８４を実行し、画面により表示すると同時に、使用者は任意のステップでシステムの解除８を強制実行することが可能である。
【００２８】
図５Ｂに示すように、資料を取得する方法は、精密機械８５または任意の検査器８６例えば体温センサーにより取得することであるが。検査器により取得した資料は電子式の変換プロセス８７により信号をＭＣＵ Moves資料８８に変換する必要がある。この時、演算機構は資料の量が演算に足りるかどうか８９を判断し、資料が不足の場合、検査器に資料を持続的に求める。資料の量が演算に足りるようになった場合、パラメータ検索により予め設定された値との比較９０を実行する、例え体温を３７℃に設定することで本発明の生理装置から直接診断できるかどうかを判断する。
【００２９】
図５Cは、本装置は電源により起動され、自己試験が完了した後、各検査器により身体の設定部位に生理機能を持続的に観測する。また緊急処置が必要だと判断された場合９１、例えば体温が３９℃になった場合、マン・マシン・インターフェース９２により装置は使用者に冷却または温度調節装置を起動することが可能であり、また一つ一つの質問に対して回答する入力方法により使用者の体温が明らかに回復していなく、痛みなどの症状が発生したことが判明した場合、演算機構は使用の入力した信号により状況の判断９３を実行し、ほかの生理機能をはかる。例えば、信号がI/O端子により診断システムに発信された場合、システムは熱を下げる内服薬、痛み止めなどの投薬をアドバイスし、また緊急信号がＩ／Ｏ端子により医療単位９４に発信された場合、医師は、得た信号により救急病院への搬送または緊急処置９５を指示し、またこの時、救援を待っている間に、本装置は患者の部位により即時救急措置、例えばエアパックによる心肺蘇生術、体温維持、緊急投薬、感電施行を提供することが可能である。
【図面の簡単な説明】
【００３０】
【図１Ａ】本発明による生理機能の状態を観測する装置の正面図である。
【図１Ｂ】図１Ａの背面図である。
【図２】本装置の感電装置の回路を示す模式図である。
【図３】本装置の図１Ｂにおける特定の位置を示す模式図である。
【図４】本装置の観測センターの組成を示す模式図である。
【図５Ａ】本装置の動作のプロセスを説明する模式図である。
【図５Ｂ】本装置の動作のプロセスを説明する模式図である。
【図５Ｃ】本装置の動作のプロセスを説明する模式図である。
【図１Ａ】
2005533541.tif 000003
【図１Ｂ】
2005533541.tif 000004
【図２】
2005533541.tif 000005
【図３】
2005533541.tif 000006
【図４】
2005533541.tif 000007
【図５Ａ】
2005533541.tif 000008
【図５Ｂ】
2005533541.tif 000009
【図５Ｃ】
2005533541.tif 000010
【国際調査報告】
2005533541.tif 000011
2005533541.tif 000012
2005533541.tif 000013
2005533541.tif 000014
2005533541.tif 000015
2005533541.tif 000016